(57)【特許請求の範囲】
【請求項１】
回線側から送信されてくる電話番号を検出する検出手段と、
受信を許可する電話番号を記憶する第1の番号記憶手段と、
前記検出手段によって検出された電話番号が、前記第1の番号記憶手段に記憶されている電話番号であれば受信処理を実行し、記憶されていない電話番号であれば受信を拒否する受信制限手段と、
前記受信制限手段による受信制限を解除する指示を受付ける状態にする操作手段と、
前記操作手段が操作された後において、電話番号を入力する番号入力手段と、
前記番号入力手段によって入力された電話番号を記憶する第2の番号記憶手段と、
前記操作手段が操作された後において、前記番号入力手段によって電話番号が入力された場合には、前記第1の番号記憶手段が記憶する電話番号に加えてこの番号入力手段によって入力された電話番号の受信を許可し、前記番号入力手段によって電話番号が入力されなかった場合には、前記第1の番号記憶手段に記憶されているか否かに関わらず、全ての電話番号の受信を許可する許可手段と、
前記許可手段による受信許可がなされてからの、この受信許可を有効とする有効期間を記憶する期間記憶手段と、
前記有効期間において発生した受信に対しては、前記許可手段が許可する電話番号の受信処理を実行し、前記有効期間が終わると、再び前記受信制限手段による受信制限を有効にし、且つ、前記第２の番号記憶手段に電話番号が記憶されている場合には、この電話番号を無効とする制御手段と、
を備える通信端末装置。
【請求項２】
前記期間記憶手段が記憶する前記有効期間は、所定の時間であり、
前記制御手段は、タイマーがカウントする時間を監視し、タイマーがカウントする時間が前記所定の時間に達すると前記受信制限手段を有効とする請求項１記載の通信端末装置。
【請求項３】
前記期間記憶手段が記憶する前記有効期間は、所定の受信回数であり、
前記制御手段は、カウンタによって監視される受信回数に基づくカウントが、前記所定の受信回数に達すると前記受信制限手段を有効とする請求項１記載の通信端末装置。
【請求項４】
回線側から送信されてくる電話番号を検出する検出手段と、受信を許可する電話番号を記憶する第1の番号記憶手段と、前記検出手段によって検出された電話番号が、前記第1の番号記憶手段に記憶されている電話番号であれば受信処理を実行し、記憶されていない電話番号であれば受信を拒否する受信制限手段と、を有する通信端末装置の制御方法であって、
操作手段が操作されることによって前記受信制限手段による受信制限の解除の指示を受付ける状態となった後、番号入力手段による電話番号を入力を待ち受け、
前記番号入力手段によって電話番号が入力された場合には、入力された電話番号を第2の番号記憶手段へ記憶し、
前記第1の番号記憶手段が記憶する電話番号に加えて前記第２の番号記憶手段が記憶する電話番号の受信を所定の期間において有効にし、
前記番号入力手段によって電話番号が入力されない場合には、前記第1の番号記憶手段に記憶されているか否かに関わらず、全ての電話番号の受信を所定の期間において有効にし、
前記所定の期間が終わると、再び前記受信制限手段による受信制限を有効にし、且つ、前記第２の番号記憶手段に電話番号が記憶されている場合には、この電話番号を無効とする通信端末装置の制御方法。
【発明の詳細な説明】
【０００１】
【発明の属する技術分野】
本発明は、受信制限機能を有する電話機やファクシミリ装置などの通信端末装置および通信端末装置の制御方法に関する。
【０００２】
【従来の技術】
従来から、勧誘の電話やダイレクトメール等の受信を拒否するために、受信制限機能を有する電話機やファクシミリ装置が知られている。
このような通信端末装置は、たとえば予め受信を許可する電話番号を登録しておき、回線側から送られてくる電話番号を検出し、その電話番号が登録された電話番号以外の電話番号である場合は、受信を拒否する構成となっている。
また、常に、一定の電話番号のみを許可するものでは、融通性に乏しいことから、たとえば特開平７−３２２０３５号に開示された通信端末装置にあっては、時間帯によって許可する電話番号を変更できる構成を有している。
【０００３】
【発明が解決しようとする課題】
ところで、従来の通信端末装置にあっては、新たに受信を許可したい相手については、受信を許可する電話番号として、新規に登録の操作を行う必要があった。そのため、突発的に受信を許可したいような相手については、新規に登録の操作を行う必要があるが、その相手が、１度だけ受信をすれば十分であるような相手の場合、そのためのだけに、登録の操作をすることは極めて不合理である。
このようなケースは企業において、新規の取引をするか否かを決めるような場合に、まずは見積もりだけを最初にもらい、それを判断して、以後継続して取引をするか否かを決めるようなケースが相当する。
【０００４】
このようなケースに新規に電話番号の登録操作を行っても、すぐにその電話番号を消去する操作が必要になることを考慮して、新規の登録は行わず、たとえば、見積もりをもらうときだけ、受信制限機能を解除するなどで対応することが多い。
しかしながら、受信制限機能を解除すると、その後再び、受信制限機能をセットすることを忘れたり、受信制限機能を解除している間に、目的とする相手以外の第三者から無駄な受信を受けてしまったりする不具合があった。
本発明は上述した事情に鑑み、受信制限機能の利便性を向上した通信端末装置を提供することを目的とする。
【０００５】
【課題を解決するための手段】
本発明は上記目的を達成するためになされたもので、請求項１記載の通信端末装置は、回線側から送信されてくる電話番号を検出する検出手段と、受信を許可する電話番号を記憶する第1の番号記憶手段と、前記検出手段によって検出された電話番号が、前記第1の番号記憶手段に記憶されている電話番号であれば受信処理を実行し、記憶されていない電話番号であれば受信を拒否する受信制限手段と、前記受信制限手段による受信制限を解除する指示を受付ける状態にする操作手段と、前記操作手段が操作された後において、電話番号を入力する番号入力手段と、前記番号入力手段によって入力された電話番号を記憶する第2の番号記憶手段と、前記操作手段が操作された後において、前記番号入力手段によって電話番号が入力された場合には、前記第1の番号記憶手段が記憶する電話番号に加えてこの番号入力手段によって入力された電話番号の受信を許可し、前記番号入力手段によって電話番号が入力されなかった場合には、前記第1の番号記憶手段に記憶されているか否かに関わらず、全ての電話番号の受信を許可する許可手段と、前記許可手段による受信許可がなされてからの、この受信許可を有効とする有効期間を記憶する期間記憶手段と、前記有効期間において発生した受信に対しては、前記許可手段が許可する電話番号の受信処理を実行し、前記有効期間が終わると、再び前記受信制限手段による受信制限を有効にし、且つ、前記第２の番号記憶手段に電話番号が記憶されている場合には、この電話番号を無効とする制御手段と、を備えることを特徴とする。
【０００６】
【発明の実施の形態】
以下、本発明の実施の形態を図面を参照して説明する。
本実施の形態では、通信端末装置としてファクシミリ装置を例にして説明する。
また電話番号としてファクシミリ番号を例にするものであり、回線側（回線網）から送られてくるものとして発信側のファクシミリ装置のファクシミリ番号を示すＣａｌｌｅｒ  ＩＤを使用するものとする。
図１は、第１の実施の形態にかかるファクシミリ装置の構成を示すブロック図である。ファクシミリ装置はファクシミリ装置全体を制御するＣＰＵ１を有している。そしてそのＣＰＵ１はアドレスバスやデータバスなどからなるバスライン２を介して、ファクシミリ装置の通信プロトコルなどのファクシミリ手順を含む動作プログラムを格納したＲＯＭ３、画像データなどを格納するためのＲＡＭ４が接続されている。
【０００７】
さらに、原稿の画像を読取るための読取部であるスキャナ５、受信した画像データを印刷するためのプリンタ６、各種メッセージなどを表示するための表示部７、発信の際に送信先のファクシミリ番号を入力するため等に使用されるテンキー１９などの各種キーを備えた操作部８、画像データの変調や、ＣＰＵ１から与えられるコマンドの変調を行なうモデム９、回線網１０からの信号の受信および回線網１０への信号の送信を制御する送信部である回線制御部１１、時間を計時するタイマー手段であるタイマー回路１２等が接続されている。回線制御部１１により、回線網１０から送信されてくるファクシミリ番号（または電話番号）が検出される。
【０００８】
図２は本実施の形態のファクシミリ装置のメモリ構成図である。ＲＡＭ４は、受信した画像データや、通常の送信手順などでスキャナ５によって読み取られた画像データを記憶する画像記憶部（図示せず）の他に、通常時に受信を許可するファクシミリ番号を記憶した受信許可メモリ１３（電話番号記憶部）、所定の期間の間だけ受信を許可するファクシミリ番号を記憶する一時許可メモリ１４、２種類の解除フラグを記憶する解除フラグメモリ１５、受信許可メモリ１３に記憶されているファクシミリ番号だけからの受信のみを許可する状態を解除したのち、再びもとの状態に復帰するまでの受信回数データを記憶した制限回数メモリ１６、受信許可メモリ１３に記憶されているファクシミリ番号だけからの受信のみを許可する状態を解除してから受信を行った回数を記憶する受信カウンタメモリ１７等で構成されている。
【０００９】
前記解除フラグメモリ１５は第１の解除フラグエリア１５１と第２の解除フラグエリア１５２から構成されている。第１の解除フラグエリア１５１はすべての受信を許可する状態を示すフラグを記憶するエリアであり、この第１の解除フラグエリア１５１に１が記憶されている状態では、受信許可メモリ１３に記憶されているファクシミリ番号か否かにかかわらず、すべてのファクシミリ番号からの受信が許可される。
【００１０】
第２の解除フラグエリア１５２は、受信許可メモリ１３に記憶されたファクシミリ番号と、前記一時許可メモリ１４に記憶されたファクシミリ番号とだけを受信することを許可する状態を示すフラグを記憶するエリアで、この第２の解除フラグエリア１５２に１が記憶されている状態では、受信許可メモリ１３に記憶されているファクシミリ番号と一時許可メモリ１４に記憶されたファクシミリ番号からの受信だけが許可される。
【００１１】
図３は本実施の形態にかかるファクシミリ装置の操作部８を示す図である。
操作部８は予め設定された送信先のファクシミリ番号をワンタッチで入力するための複数のワンタッチキー１８、送信先のファクシミリ番号を入力するためのテンキー１９、操作をやり直すことを指示するリセットキー２０、送信の開始を指示するスタートキー２１、受信許可メモリ１３に記憶されたファクシミリ番号からのみの受信を許可する状態を解除する場合に使用する解除キー２２などを有する。
【００１２】
図４と図５は本実施の形態にかかるファクシミリ装置の処理を示したフローチャートである。このファクシミリ装置は受信許可メモリ１３に記憶されたファクシミリ番号からの画像データしか受信しないように設定されているものとする（受信制限機能）。
本実施の形態では前記受信制限機能の解除をした場合に自動的に受信制限機能を働かせるための設定の操作として次のような操作手順が決められているものとする。
【００１３】
ファクシミリ装置が待機状態にある場合に、解除キー２２を操作し、続いて受信を許可するファクシミリ番号をテンキー１９を利用して入力し、解除キー２２を操作する。なお、受信を許可するファクシミリ番号を入力することなく、解除キー２２を操作すると、すべての受信を許可する状態に設定される。
つぎに、何回受信を実施したら受信許可メモリ１３に記憶されたファクシミリ番号からのみの受信を許可する状態に復帰させるかを設定する。これはテンキー１９を利用した回数の入力と解除キー２２の入力によって行われる。
以上の操作で、受信制限機能は解除される。
【００１４】
図４は、本実施の形態のファクシミリ装置の受信制限解除の処理を示すフローチャートである。このフローチャートは待機状態で、操作部８の何らかのキーが操作されたことに応じて実行する。
ステップ１００で操作されたキーが解除キー２２であるかを判別する。解除キー２２でなければ、ステップ１０１でその他の処理を実行する。その他の処理としては、例えばワンタッチキー１８の操作に基づく、ファクシミリ番号の発信処理などがある。
【００１５】
ステップ１００で解除キー２２であると判別した場合は、受信制限機能の解除の処理を実行すべく、ステップ１０２でファクシミリ番号の入力および解除キー２２の入力による受信制限機能の対象とはならないファクシミリ番号の入力処理を実行する。テンキー１９の操作によりファクシミリ番号が入力され、解除キー２２の操作により、ファクシミリ番号の入力の完了を指示する。ここで、ファクシミリ番号の入力は必須ではなく、ファクシミリ番号を入力せずに、解除キー２２を操作してもよい。その場合は、受信制限機能が無条件に解除されることとなる。
ステップ１０３で、ファクシミリ番号が入力されたか否かを判別する。これは、ワークエリア（図示せず）のキー入力バッファに数値データが確保されているか否かによって判別する。
【００１６】
番号入力がなければ、受信制限機能を解除することを指示したことを意味するので、ステップ１０６で受信制限機能を解除したことを示すべく、第１の解除フラグエリア１５１に１を記憶する。ステップ１０３で番号入力があったと判別した場合は、受信許可メモリ１３に記憶されたファクシミリ番号に加えて、所定のファクシミリ番号の受信を許可することが指示されたことを意味するので、ステップ１０４で、入力されたファクシミリ番号を一時許可メモリ１４にそのファクシミリ番号を記憶させ、ステップ１０５で、一時許可メモリ１４に記憶されたファクシミリ番号からの受信も許可することを示すべく、第２の解除フラグエリア１５２に１を記憶する。
【００１７】
ステップ１０７で何回受信を実行したら通常の受信制限機能に復帰するかを指示するための回数入力処理を実行する。これはテンキー１９の操作による回数の入力と入力の完了を示す解除キー２２の操作によるものである。なお、テンキー１９による回数の入力は必須のものではない。回数の入力を省略して、解除キー２２のみを操作した場合は、初期設定値（例えば１）もしくは、前回記憶した回数が入力されたこととなる。
また、ここで受信回数の対象となる受信は、ステップ１０２でファクシミリ番号が入力されている場合は、そのファクシミリ番号からの受信が対象となり、ファクシミリ番号が入力されていない場合は、すべての相手からの受信が対象となる。
ステップ１０７で回数入力処理が完了すると、ステップ１０８で入力された回数データが制限回数メモリ１６に記憶され、処理を終了する。
【００１８】
図５は、本実施の形態のファクシミリ装置の受信処理を示すフローチャートである。このフローチャートは回線網１０からの呼びを検出したことに応じて実行する。
なお、呼びを検出するとともに、Ｃａｌｌｅｒ  ＩＤを検出し、図示しないワークエリアにそこに含まれるファクシミリ番号（または電話番号）を記憶するものとする。
【００１９】
ステップ１０９で、第１の解除フラグエリア１５１に１が記憶されているか否かを判別する。第１の解除フラグエリア１５１に１が記憶されている場合は、受信制限機能を解除することを意味しているので、受信許可メモリ１３の内容を参照することなく、受信を実行する。そのため、まずステップ１１０で、受信カウンタメモリ１７の内容をプラス１し、ステップ１１１で制限回数メモリ１６に記憶されている回数データと受信カウンタメモリ１７の数値とを比較し、受信回数が制限回数に到達したか否かを判別する。受信回数が制限回数に到達している場合は、ステップ１１２で第１の解除フラグエリア１５１、受信カウンタメモリ１７の内容をクリアしてステップ１１３に進む。第１の解除フラグエリア１５１がクリアされることで、次回以降の受信については、受信制限機能が働くこととなる。受信制限機能を解除してから、制限回数メモリ１６に記憶された回数分の受信を実行したことに応じて、自動的に受信制限機能が働くようになるので、ユーザによって受信制限機能に復帰させる手間がなくなり、負担が軽減される。
【００２０】
ステップ１１１で受信回数が制限回数に到達していないと判別した場合は、ステップ１１２の処理をすることなく、ステップ１１３で画像データを受信し、記録紙に印字するなどの受信処理を実行する。
一方、ステップ１０９で第１の解除フラグエリア１５１に１が記憶されていないと判別した場合は、ステップ１１４で、回線網からの呼びのなかにファクシミリ番号が含まれていたか否かを判別する。これは、回線網から受信したファクシミリ番号を記憶するワークエリアをチェックすることで行われる。ファクシミリ番号が含まれていないと判別した場合は、発信者が不明であることから、ステップ１２１で回線を切断するなど受信拒否の処理を実行する。
【００２１】
ステップ１１４でファクシミリ番号を含んでいたと判別した場合は、ステップ１１５で第２の解除フラグに１が記憶されているか否かを判別する。第２の解除フラグに１が記憶されている場合は、一時許可メモリ１４に受信を許可するファクシミリ番号が記憶されていることを意味しているので、ステップ１１６で、回線網から受信したファクシミリ番号が一時許可メモリ１４のファクシミリ番号か否かを判別する。
【００２２】
ステップ１１５およびステップ１１６でＮＯと判断された場合はステップ１２０で受信許可メモリ１３に記憶されているファクシミリ番号か否かを判別する。
受信許可メモリ１３に記憶されているファクシミリ番号であれば、ステップ１１３で受信処理を実行し、受信許可メモリ１３に記憶されていない場合はステップ１２１で受信拒否の処理を実行して処理を終了する。
ステップ１１６で一時許可メモリ１４に記憶されているファクシミリ番号であると判別した場合は、まずステップ１１７で、受信カウンタメモリ１７の内容をプラス１し、ステップ１１７で制限回数メモリ１６に記憶されている回数データと受信カウンタメモリ１７の数値とを比較し、受信回数が制限回数に到達したか否かを判別する。受信回数が制限回数に到達している場合は、一時許可メモリ１４に記憶されたファクシミリ番号からの受信を制限回数分実行したことを意味するので、ステップ１１９で第２の解除フラグエリア１５２、受信カウンタメモリ１７の内容をクリアしてステップ１１３で受信処理を実行し処理を終了する。
【００２３】
第２の解除フラグエリア１５２がクリアされることで、次回以降の受信については、一時許可メモリ１４は考慮されず、受信許可メモリ１３に記憶されたファクシミリ番号からの受信だけを許可する受信制限機能が働くこととなる。
一時許可メモリ１４に記憶させたファクシミリ番号からの受信を許可した後、一時許可メモリ１４に記憶させたファクシミリ番号からの受信を、制限回数メモリ１６に記憶された回数分実行したことに応じて、一時許可メモリ１４に記憶させたファクシミリ番号は自動的に意味のないもの（無効）となる。これにより、ユーザは、一旦受信を許可するようにしたファクシミリ番号を消去するような手間がなくなり、負担が軽減される。
【００２４】
次にこの第１の実施の形態のファクシミリ装置の作用を説明する。
今、受信許可メモリ１３にファクシミリ番号として「１１１―１１１１」、「２２２−２２２２」、「３３３−３３３３」等が記憶されており、また、一時的に受信を許可したいファクシミリ番号として「１２３−４５６７」があり、また、制限回数データとして１が記憶されるものとして説明する。
【００２５】
まず、一時的に受信制限機能を解除する場合について説明する。
ユーザはファクシミリ装置の待機状態で、解除キー２２を操作する。するとファクシミリ装置は、受信を許可するファクシミリ番号の入力に待機する。この際表示部にそれを促すメッセージを表示することも当然考えられる。今は、受信制限機能を解除するので、ファクシミリ番号を入力することなく、再度解除キー２２を操作する。
続いて、制限回数を入力する。ここでも、制限回数を入力することなく解除キー２２を操作すると、制限回数データは初期設定値（例えば１）となる。
【００２６】
上述のような操作に応じて、ファクシミリ装置は、第１の解除フラグエリア１５１に１を記憶し、制限回メモリに１を記憶する。こうして、１回の受信についてだけは受信制限機能が働くことなく受信が実行される。
この状態で、回線網１０から呼びがあると、ファクシミリ装置は、第１の解除フラグエリア１５１に１が記憶されていることから、受信を許可するが、受信カウンタメモリ１７の内容をプラス１したことにより、制限回数メモリ１６の１と同じになったことから、第１の解除フラグエリア１５１の内容、および受信カウンタメモリ１７の内容をクリアする。これにより、ファクシミリ装置は受信制限機能が働くようになる。
【００２７】
仮りに、この状態で回線網から呼びがあると、第１の解除フラグエリア１５１、第２の解除フラグエリア１５２のいずれにも１が記憶されていないので、通常の受信制限機能が働き、受信許可メモリ１３に記憶されているファクシミリ番号からの呼びであれば、受信処理を実行し、それ以外のところからの呼びであれば受信を拒否する。
次に、特定のファクシミリ番号「１２３−４５６７」の受信を許可する場合を説明する。
【００２８】
ユーザはファクシミリ装置の待機状態で、解除キー２２を操作し、受信を許可するファクシミリ番号として「１２３−４５６７」と入力して解除キー２２を操作する。
続いて、制限回数を入力する。ここでも、制限回数を入力することなく解除キー２２を操作すると、制限回数データは初期設定値（例えば１）となる。
上述のような操作に応じて、ファクシミリ装置は、一時許可メモリ１４に「１２３―４５６７」を記憶し、第２の解除フラグエリア１５２に１を記憶し、制限回メモリに１を記憶する。この場合は、「１２３―４５６７」からの発呼は、１回だけ受信が実行される。
【００２９】
この状態で、回線網から呼びがあると、ファクシミリ装置は、第２の解除フラグエリア１５２に１が記憶されていることから、回線網から受信したファクシミリ番号を判断して、「１２３―４５６７」からの発呼か判別し、そうであれば、受信処理を実行することになる。その際、受信カウンタメモリ１７の内容をプラス１して、制限回数メモリ１６の内容と比較し、制限回数メモリ１６の１と同じになったことから、一時許可メモリ１４の内容、第２の解除フラグエリア１５２の内容、および受信カウンタメモリ１７の内容をクリアする。ファクシミリ番号「１２３−４５６７」は無効となる。これにより、ファクシミリ装置は受信制限機能が働くようになる。
【００３０】
なお、受信カウンタメモリ１７は、「１２３―４５６７」からの画像データを受信する場合のみにカウントアップされ、その他の受信の場合はカウントアップされない。例えば、第２の解除フラグエリア１５２に１が記憶されている状態でも、受信許可メモリ１３に記憶されている「１１１―１１１１」からの受信も許可されて受信処理が実行されるが、この場合は「１２３―４５６７」からの受信を実行していないので、受信カウンタメモリ１７の内容はプラス１されない。
【００３１】
これは、前述した、受信制限機能を解除する場合であると、解除した間に目的とする相手以外のところからの受信を実行してしまったことにより、受信制限機能が再び働いてしまうことがありえるが、特定の番号の受信の回数のみをカウントすることにより、目的とする相手からの受信を必ず実行することができるという効果を奏する。
さて、第１の実施の形態として、受信した回数で受信制限機能を働かせるようにした例を説明したが、受信した回数ではなく、時間で行うこともできる。
【００３２】
第２の実施の形態について説明する。これは、時間を利用して受信制限機能を働かせるようにしたもので、第１の実施の形態と異なるところはメモリ構成、フローチャートであることから、その他の部分は、第１の実施の形態の説明で使用した図面を利用することとして、また第１の実施の形態と同じ番号を付して説明は省略する。
【００３３】
図６は本実施の形態のファクシミリ装置のメモリ構成図である。受信許可メモリ１３、一時許可メモリ１４、２種類の解除フラグを記憶する解除フラグメモリ１５を有しているのは第１の実施の形態のファクシミリ装置と同様である。ただし、回数を管理することに利用していた制限回数メモリ１６と受信カウンタメモリ１７に変えて、受信許可メモリ１３に記憶されているファクシミリ番号だけからの受信のみを許可する状態を解除したのち、再びもとの状態に復帰するまでの時間データを記憶した制限時間メモリ５０を有している。
図７、８、９は本実施の形態にかかるファクシミリ装置の処理を示したフローチャートである。第１の実施の形態と同様、このファクシミリ装置は受信許可メモリ１３に記憶されたファクシミリ番号からの画像データしか受信しないように設定されているものとする（受信制限機能）。
【００３４】
本実施の形態では前記受信制限機能の解除をした場合に自動的に受信制限機能を働かせるための設定の操作として次のような操作手順が決められているものとする。
ファクシミリ装置が待機状態にある場合に、解除キー２２を操作し、続いて受信を許可するファクシミリ番号をテンキー１９を利用して入力し、解除キー２２を操作する。なお、受信を許可するファクシミリ番号を入力することなく、解除キー２２を操作すると、すべての受信を許可する状態に設定される。
【００３５】
つぎに、何分後に受信許可メモリ１３に記憶されたファクシミリ番号からのみの受信を許可する状態に復帰させるかを設定する。いいかえれば、何分間受信制限機能を解除するかを設定する。これはテンキー１９を利用した時間の入力（例えば１０分であれば１０）と解除キー２２の入力によって行われる。
以上の操作で、受信制限機能は解除される。
【００３６】
図７は、本実施の形態のファクシミリ装置の受信制限解除の処理を示すフローチャートである。このフローチャートは待機状態で、操作部８の何らかのキーが操作されたことに応じて実行する。
ステップ２００で操作されたキーが解除キー２２であるかを判別する。解除キー２２でなければ、ステップ２０１でその他の処理を実行する。
ステップ２００で解除キー２２であると判別した場合は、受信制限機能の解除の処理を実行すべく、ステップ２０２でファクシミリ番号の入力および解除キー２２の入力による受信制限機能の対象とはならないファクシミリ番号の入力処理を実行する。テンキー１９の操作によりファクシミリ番号が入力され、解除キー２２の操作により、ファクシミリ番号の入力の完了を指示する。ここで、ファクシミリ番号の入力は必須ではなく、ファクシミリ番号を入力せずに、解除キー２２を操作してもよい。その場合は、受信制限機能が無条件に解除されることとなる。
【００３７】
ステップ２０３で、ファクシミリ番号が入力されたか否かを判別する。これは、ワークエリア（図示せず）のキー入力バッファに数値データが確保されているか否かによって判別する。
番号入力がなければ、受信制限機能を解除することを指示したことを意味するので、ステップ２０６で受信制限機能を解除したことを示すべく、第１の解除フラグエリア１５１に１を記憶する。ステップ２０３で番号入力があったと判別した場合は、受信許可メモリ１３に記憶されたファクシミリ番号に加えて、所定のファクシミリ番号の受信を許可することが指示されたことを意味するので、ステップ２０４で、入力されたファクシミリ番号を一時許可メモリ１４にそのファクシミリ番号を記憶させ、ステップ２０５で、一時許可メモリ１４に記憶されたファクシミリ番号からの受信も許可することを示すべく、第２の解除フラグエリア１５２に１を記憶する。
【００３８】
以上までの処理は第１の実施の形態のときと同じである。
ステップ２０７で何分経過したら通常の受信制限機能に復帰するかを指示するための時間入力処理を実行する。これはテンキー１９の操作による時間の入力と入力の完了を示す解除キー２２の操作によるものである。なお、テンキー１９による時間の入力は必須のものではない。時間の入力を省略して、解除キー２２のみを操作した場合は、初期設定値（例えば１０分）もしくは、前回記憶した時間が入力されたこととなる。
ステップ２０７で時間入力処理が完了すると、ステップ２０８で入力された時間データが制限時間メモリ５０に記憶され、ステップ２０９でタイマーをスタートさせて処理を終了する。
【００３９】
図８は、本実施の形態のファクシミリ装置の受信処理を示すフローチャートである。このフローチャートは回線網１０からの呼びを検出したことに応じて実行する。
なお、呼びを検出するとともに、Ｃａｌｌｅｒ  ＩＤを検出し、図示しないワークエリアにそこに含まれるファクシミリ番号（または電話番号）を記憶するものとする点は第１の実施の形態と同じである。
ステップ２１０で、第１の解除フラグエリア１５１に１が記憶されているか否かを判別する。第１の解除フラグエリア１５１に１が記憶されている場合は、受信制限機能を解除することを意味しているので、受信許可メモリ１３の内容を参照することなく、ステップ２１５で受信を実行する。
【００４０】
ステップ２１０で第１の解除フラグエリア１５１に１が記憶されていないと判別した場合は、ステップ２１１で、回線網からの呼びのなかにファクシミリ番号が含まれていたか否かを判別する。これは、回線網から受信したファクシミリ番号を記憶するワークエリアをチェックすることで行われる。ファクシミリ番号が含まれていないと判別した場合は、発信者が不明であることから、ステップ２１６で回線を切断するなど受信拒否の処理を実行する。
【００４１】
ステップ２１１でファクシミリ番号を含んでいたと判別した場合は、ステップ２１２で第２の解除フラグに１が記憶されているか否かを判別する。第２の解除フラグに１画記憶されている場合は、一時許可メモリ１４に受信を許可するファクシミリ番号が記憶されていることを意味しているので、ステップ２１３で、回線網から受信したファクシミリ番号が一時許可メモリ１４のファクシミリ番号か否かを判別する。
ステップ２１２およびステップ２１３でＮＯと判断された場合はステップ２１４で受信許可メモリ１３に記憶されているファクシミリ番号か否かを判別する。
受信許可メモリ１３に記憶されているファクシミリ番号であれば、ステップ２１５で受信処理を実行し、受信許可メモリ１３に記憶されていない場合はステップ２１６で受信拒否の処理を実行して処理を終了する。
【００４２】
ステップ２１３で一時許可メモリ１４に記憶されているファクシミリ番号であると判別した場合は、ステップ２１５で受信処理を実行し処理を終了する。
図９は、本実施の形態のファクシミリ装置の受信制限機能への復帰を示すフローチャートである。
このフローチャートは図７のステップ２０９でタイマースタートが行われると、１分間隔で実行されるものである。
【００４３】
ステップ２１７でタイマーの値を参照し、制限時間メモリ５０に記憶された時間データと比較して、制限時間メモリ５０の時間データ（例えば１０）に達したか判別する。制限時間メモリ５０に記憶された時間データに達していなければ、処理を終了する。一方、制限時間メモリ５０に達したと判別した場合は、ステップ２１８で、一時許可メモリ１４、解除フラグメモリ１５をクリアして、処理を終了する。一時許可メモリ１４に記憶されたファクシミリ番号は無効となる。
受信制限機能を解除してから、制限時間メモリ５０に記憶された時間データが経過したことに応じて、自動的に受信制限機能が働くようになるので、ユーザによって受信制限機能に復帰させる手間がなくなり、負担が軽減される。
【００４４】
次にこの第２の実施の形態のファクシミリ装置の作用を説明する。
第１の実施の形態と同様、受信許可メモリ１３にファクシミリ番号として「１１１―１１１１」、「２２２−２２２２」、「３３３−３３３３」等が記憶されており、また、一時的に受信を許可したいファクシミリ番号として「１２３−４５６７」があり、おの実施の形態の特徴として、制限時間データとして１０（１０分）が記憶されるものとして説明する。
まず最初に、一時的に受信制限機能を解除する場合について説明する。
ユーザはファクシミリ装置の待機状態で、解除キー２２を操作する。するとファクシミリ装置は、受信を許可するファクシミリ番号の入力に待機する。この際表示部にそれを促すメッセージを表示することも当然考えられる。今は、受信制限機能を解除するので、ファクシミリ番号を入力することなく、再度解除キー２２を操作する。
【００４５】
続いて、制限時間を入力する。ここでも、制限時間を入力することなく解除キー２２を操作すると、制限時間データは初期設定値（例えば１０）となる。
上述のような操作に応じて、ファクシミリ装置は、第１の解除フラグエリア１５１に１を記憶し、制限時間メモリ５０に１０を記憶する。こうして、この操作の後、１０分間だけは受信制限機能が働くことなく受信が実行される。
この状態で、操作後１０分以内に回線網から呼びがあると、ファクシミリ装置は、第１の解除フラグエリア１５１に１が記憶されていることから、受信を許可する。一方１０分を経過すると、第１の解除フラグエリア１５１の内容をクリアする。これにより、ファクシミリ装置は受信制限機能が働くようになる。
【００４６】
仮りに、この状態で回線網から呼びがあると、第１の解除フラグエリア１５１、第２の解除フラグエリア１５２のいずれにも１が記憶されていないので、通常の受信制限機能が働き、受信許可メモリ１３に記憶されているファクシミリ番号からの呼びであれば、受信処理を実行し、それ以外のところからの呼びであれば受信を拒否する。
次に、特定のファクシミリ番号「１２３−４５６７」の受信を許可する場合を説明する。
【００４７】
ユーザはファクシミリ装置の待機状態で、解除キー２２を操作し、受信を許可するファクシミリ番号として「１２３−４５６７」と入力して解除キー２２を操作する。
続いて、制限時間を入力する。ここでも、制限時間を入力することなく解除キー２２を操作すると、制限時間データは初期設定値（例えば１０）となる。
上述のような操作に応じて、ファクシミリ装置は、一時許可メモリ１４に「１２３―４５６７」を記憶し、第２の解除フラグエリア１５２に１を記憶し、制限時間メモリ５０に１を記憶する。この場合は、「１２３―４５６７」からの発呼は、１０分間だけ受信が許可される。
【００４８】
この状態で、回線網から呼びがあると、ファクシミリ装置は、第２の解除フラグエリア１５２に１が記憶されていることから、回線網から受信したファクシミリ番号を判断して、「１２３―４５６７」からの発呼か判別し、そうであれば、受信処理を実行することになる。
ファクシミリ番号「１２３−４５６７」を設定してから、１０分を経過すると、第２の解除フラグエリア１５２の内容はクリアされ、一時許可メモリ１４の内容もクリアされる（無効にされる）。これにより、ファクシミリ装置は受信制限機能が働くようになる。
【００４９】
なお、本発明は上記第１および第２の実施の形態に限定されるものではない。
例えば、上記の実施の形態では、受信許可メモリ１３を受信制限機能のための専用のメモリとして説明しているが、例えば、ワンタッチキー１８に対応して記憶されるファクシミリ番号を受信制限のためのファクシミリ番号として使用してもよい。
また時間を分として説明したが、時間でも、秒で設定してもよい。ただし、受信制限機能を長時間解除することは、本来の目的からすると望ましくない。
【００５０】
また、ファクシミリ装置を例に説明したが電話機やその他の通信装置であってもかまわない。
さらに、制限回数メモリ１６および制限時間メモリ５０の内容を設定可能として説明したが、固定的になっていてもかまわない。
さらに、Ｃａｌｌｅｒ  ＩＤを例に説明したが、ファクシミリ手順に含まれるＴＳＩ信号に含まれる番号を利用するようにしてもよい。
その他、本発明の要旨を逸脱しない範囲で種々変形実施可能である。
【００５１】
【発明の効果】
本発明によれば、受信制限手段を解除する設定がされた場合に、解除期間記憶部に記憶された期間に発生した受信に対しては電話番号記憶部に記憶されているか否かに関わらず受信処理を実行し、前記解除期間記憶部に記憶された期間が経過後には再び前記受信制限手段を有効とするので、受信制限機能が解除されたままの状態となることを防止することができる。
【００５２】
また、一時許可番号記憶部に記憶された電話番号からの受信を許可することの設定がされた場合は、受信制限機能を働かせながら特定の電話番号の受信のみを特定の期間許可することができる。
【図面の簡単な説明】
【図１】第１、第２の形態に係るファクシミリ装置の構成を示すブロック図である。
【図２】第１の実施の形態におけるファクシミリ装置のメモリ構成図である。
【図３】第１、第２の実施の形態におけるファクシミリ装置の操作部８を示す図である。
【図４】第１の実施の形態におけるファクシミリ装置の受信制限解除の処理を示すフローチャートである。
【図５】第１の実施の形態におけるファクシミリ装置の受信処理を示すフローチャートである。
【図６】第２の実施の形態におけるファクシミリ装置のメモリ構成図である。
【図７】第２の実施の形態におけるファクシミリ装置の受信制限解除の処理を示すフローチャートである。
【図８】第２の実施の形態におけるファクシミリ装置の受信処理を示すフローチャートである。
【図９】第２の実施の形態における受信制限機能への復帰を示すフローチャートである。
【符号の説明】
１１                    回線制御部（検出手段）
１３                    受信許可メモリ（電話番号記憶部）
ステップ１２０、２１４  受信制限手段
１６                    制限回数メモリ（解除期間記憶部、許可期間記憶部）
５０                    制限時間メモリ（解除期間記憶部、許可期間記憶部）
ステップ１０９〜１１３、２１０、２１５、２１７、２１８    一時解除手段
１４                    一時許可メモリ（一時許可番号記憶部）
【図１】
0004369070.tif 000002
【図２】
0004369070.tif 000003
【図３】
0004369070.tif 000004
【図４】
0004369070.tif 000005
【図５】
0004369070.tif 000006
【図６】
0004369070.tif 000007
【図７】
0004369070.tif 000008
【図８】
0004369070.tif 000009
【図９】
0004369070.tif 000010